(57)【要約】【課題】幅木を用いて側板の境目に形成される角部を曲線状に覆う際の部品を減らすとともに、分割線の数を少なくして意匠性を向上させることができるエレベータの乗りかごを提供することを目的とする。【解決手段】幅木１７は、複数の側板３のうちかご室の背面を形成する側板３Ａとかご床２との間を覆う直線部１７ａと、この直線部１７ａと一体に形成された、かご室の背面を形成する側板３Ａとかご室の側面を形成する側板３Ｂとの境界を覆うＲ形状を有する曲線部１７ｂと、を有し、直線部１７ａに切欠部９を設け、直線部１７ａの断面剛性の強度を異ならせる。【選択図】図３
2017007833.tif 000002
【特許請求の範囲】
【請求項１】
かご室の床面となるかご床と、
前記かご床の周囲に立設された複数の側板と、
前記かご床及び前記側板を支持する床枠と、
前記側板と前記かご床との間に設けられる幅木と、を備えたエレベータの乗りかごであって、
前記幅木は、前記複数の側板のうち前記かご室の背面を形成する側板とかご床との間を覆う直線部と、この直線部と一体に形成された、前記かご室の背面を形成する側板と前記かご室の側面を形成する側板との境界を覆うＲ形状を有する曲線部と、を有し、
前記直線部に切欠部を設け、前記直線部の断面剛性の強度を異ならせた
ことを特徴とするエレベータの乗りかご。
【請求項２】
前記直線部に設けられた切欠部は、断面が矩形状である
請求項１に記載のエレベータの乗りかご。
【請求項３】
前記直線部の断面剛性の強度が強い部分に、前記幅木を前記床枠に固定するための固定部材を設けた
請求項１に記載のエレベータの乗りかご。
【請求項４】
前記幅木の前記曲線部は複数設けられている
請求項１に記載のエレベータの乗りかご。
【発明の詳細な説明】
【技術分野】
【０００１】
本発明は、かご室内に幅木が設けられたエレベータの乗りかごに関する。
【背景技術】
【０００２】
エレベータの乗りかご内には、側板とかご床を支持する床枠とのボルト締結部を覆う為に幅木が設置されている。この幅木の取り付け作業性を向上する技術が特許文献１に開示されている。特許文献１には、乗りかごの側板を乗りかご内から組立できるように，コ字状に成形された床枠の上に側板を乗せて床枠と側板を締結し、締結後に，マグネット等を用いて幅木を床枠に取り付けする構成が記載されている。また、乗りかご内には、かご床の周囲に立設された複数の側板が設けられている。
【０００３】
特許文献２には、隣接する側板の境目に形成される角部を曲線状に覆い、利用者に安全な印象を与えるエレベータの乗りかごが開示されている。特許文献２には、Ｒ形状を有するように成形された幅木を別部品として形成し，複数のボルトを用いて床枠に締結する構造が記載されている。
【先行技術文献】
【特許文献】
【０００４】
【特許文献１】特開２００２−１１４４６９号公報
【特許文献２】特許４９０２５９７号公報
【発明の概要】
【発明が解決しようとする課題】
【０００５】
しかしながら、上述したように、側板の境目に形成される角部を曲線状に覆うために、別部品としてＲ形状を有する幅木を形成する構成では、ボルト等を用いて幅木を床枠に締結する必要があるため、部品点数が増加するという問題がある。また、Ｒ形状を有する幅木を、別部品である他の幅木と連結する際には、連結部分にいわゆる分割線が生じてしまい、意匠性の低下を招くという問題も生じる。
【０００６】
そこで、本発明は、側板の境目に形成される角部を曲線状に覆う際の部品点数の増加を抑え、かつ、幅木同士の連結部分に生じる分割線が少ないエレベータの乗りかごを提供することを目的とする。
【課題を解決するための手段】
【０００７】
上記課題を解決するために、例えば特許請求の範囲に記載の構成を採用する。本願は、上記課題を解決する手段を複数含んでいるが、その一例を挙げるならば、かご室の床面となるかご床と、かご床の周囲に立設された複数の側板と、かご床及び側板を支持する床枠と、側板とかご床との間に設けられる幅木と、を備えたエレベータの乗りかごであって、幅木は、複数の側板のうちかご室の背面を形成する側板とかご床との間を覆う直線部と、直線部と一体に形成された、かご室の背面を形成する側板とかご室の側面を形成する側板との境界を覆うＲ形状を有する曲線部と、を有し、直線部に切欠部を設け、直線部の断面剛性の強度を異ならせたことにより達成される。
【発明の効果】
【０００８】
本発明のエレベータの乗りかごによれば、幅木を用いて側板の境目に形成される角部を曲線状に覆う際の部品点数を減らすとともに、分割線の数を少なくして意匠性を向上させることができる。
【図面の簡単な説明】
【０００９】
【図１】本発明の実施形態に係るエレベータの乗りかごの内部の様子を示す概略構成図である。
【図２】本発明の実施形態に係るエレベータの乗りかごの要部の断面構成図である。
【図３】本発明の実施形態に係る背面幅木の概略上面図である。
【図４】本発明の実施形態に係る背面幅木を床枠に取り付ける際の説明図である。
【図５】側面幅木を床枠に取り付ける際の説明図である。
【図６】幅木が取り付けられた状態のエレベータの乗りかごの上面図である。
【発明を実施するための形態】
【００１０】
以下、本発明の実施形態に係るエレベータの乗りかごの一例を、図面を参照しながら説明する。なお、本発明は以下の例に限定されるものではない。
【００１１】
［エレベータの乗りかごの内部の構成］
図１に、本発明の実施形態に係るエレベータの乗りかごの内部の様子を示す概略構成を示し、図２に、要部の断面構成を示す。図１に示すように、本実施形態のエレベータの乗りかご１は、かご床２と、側板３と、扉部１０と、天井４と、かご床２と側板３との間に設けられる幅木７とを備え、これらに囲まれる空間が乗客等を収容できるかご室となる。
【００１２】
かご床２は、図２に示すように、かご室側の面が水平な床面となる台状の部材で構成され、かご室側に面する側の床面には、タイルなどで構成された床板２３が設けられている。本実施形態では、かご床は、床面が四角形状の板状のかご床本体２１と、かご床本体２１の径よりも小さい径を有する台状の部材で構成された土台部２２とで構成され、土台部２２上面にかご床本体２１が設けられた構成とされている。天井４は、かご室を介してかご床２と対向する位置に設けられている。側板３は複数枚で構成されており、かご室の側面を囲むようにかご床２の周囲に立設され、扉部１０を除く位置に設けられる。詳述すると、複数の側板３は、扉部１０が設けられた前面に対向する背面側板３Ａと、背面側板３Ａに隣接し互いに対向して設けられる２つの側面側板３Ｂと、側面側板３Ｂと隣接し背面側板３Ａと対向する正面側板３Ｃと、を構成する。扉部１０は開閉可能であり、かご室への出入り口及び幅木７の搬入口となる。
【００１３】
［要部の構成］
次に、エレベータの乗りかご１の要部について説明する。図２に示すように、エレベータの乗りかご１は、かご床２及び側板３を支持する床枠５と、かご床２と側板３との間に設けられる幅木７と、幅木７を床枠５に固定するための固定部材としてのマグネット８とを備える。
【００１４】
［床枠］
まず、床枠５について説明する。床枠５は、かご床２を支持する側に水平面を備える底部５１と、底部５１の側面から底部５１の水平面に対して側板３が配置される方向に延在する側壁部５２と、側壁部５２の底部５１側とは反対側の端部においてかご室側に延在する水平面を備える上端部５５とを備える。側壁部５２は、かご床２のかご床本体２１と土台部２２との間の段差部の形状に沿うように設けられた段差部５２ａを有している。本実施形態では、かご床２の土台部２２の底面が床枠５の底部５１に当接し、かご床２のかご床本体２１の底面が床枠５の段差部５２ａの水平面に当接することで、かご床２が床枠５に支持される。すなわち、本実施形態では、かご床２にかかる荷重は、床枠５の底部５１及び段差部５２ａによって受けられる。
【００１５】
また、上端部５５の所望の位置には、側板３が取り付けられている支持部材５４を床枠５の上端部５５に固定するためのボルト締結孔５３が設けられている。本実施形態では、側板３（支持部材５４）と床枠５の上端部５５とが、ボルト締結孔５３においてボルト６とナット６’で締め付けられることによって固定される。これにより、側板３が床枠５の上端部５５に支持される。
【００１６】
［幅木］
次に、幅木７について説明する。幅木７は、かご室側において、床枠５の上端部５５と側板３とのボルト６等を隠すために、床板２３（かご床２）と側板３との間に設けられる。幅木７は、扉部１０が設けられる位置を除く側板３に対して設けられる。
【００１７】
図２に示すように、幅木７は、意匠面部７１と、下部水平部７３とを備えている。
意匠面部７１は、かご室側に露出される意匠面７１ａを有している。意匠面７１ａは、図２に示すように側板３のかご室側の面とほぼ平行な面である。かご床２の床面に直交する方向における意匠面部７１の長さ、すなわち意匠面部７１の短手方向の長さは、床面に配置された床板２３と側板３との間の長さとほぼ等しく構成される。下部水平部７３は、意匠面部７１の下部側（かご床２側）の端部からかご室とは反対側に延在して設けられている。
【００１８】
本実施形態の幅木７は、主に背面側板３Ａに対して設けられる背面幅木１７と、主に側面側板３Ｂに対して設けられる２本の側面幅木２７と、で構成されている
【００１９】
図３は、本実施形態で使用される背面幅木１７の上面図である。
図３に示すように、背面幅木１７は、背面側板３Ａとかご床２との間を覆うための直線状に形成された主直線部１７ａと、背面側板３Ａと隣接する側面側板３Ｂとの境界にできる角部を覆うためのＲ形状を有する曲線部１７ｂと、側面側板３Ｂとかご床２との間の一部を覆うための直線状に形成された従直線部１７ｃと、で構成されている。
【００２０】
背面幅木１７の主直線部１７ａ、曲線部１７ｂ、従直線部１７ｃは、それぞれ一枚の鋼板を折り曲げることによって形成される。そして、主直線部１７ａの両端部に、溶接により曲線部１７ｂを一体に連設し、曲線部１７ｂの端部に、溶接により従直線部１７ｃを一体に連設する。このように、背面幅木１７は、一体に形成された主直線部１７ａ、曲線部１７ｂ、従直線部１７ｃを備え、全体の形状としてＵ字状に形成されている。
【００２１】
幅木７を構成する鋼板としては、例えば、ステンレス鋼板を用いることができる。また、塗装や印刷が施された各種鋼板を用いることができる。
なお、本実施形態においては、主直線部１７ａ、曲線部１７ｂ、従直線部１７ｃをそれぞれ溶接して背面幅木を形成したが、一枚の鋼板を加工してＲ形状を含む下部水平部７３を形成し、この下部水平部７３に意匠面部７１を溶接して背面幅木１７を形成してもよい。
【００２２】
主直線部１７ａの意匠面部７１の短手方向に直交する長手方向の長さは、対応する背面側板３Ａとほぼ同じ長さに構成されている。また、従直線部１７ｃの意匠面部７１の短手方向に直交する長手方向の長さは、対応する側面側板３Ｂの長さの約１／３に構成されている。
【００２３】
本実施形態の背面幅木１７の主直線部１７ａの下部水平部７３には、複数の切欠部９が設けられている。切欠部９は、断面が矩形状になるように形成されている。本実施形態では、３つの切欠部９が等間隔に形成されている。切欠部９が形成された部分は、主直線部１７ａの断面剛性が弱くなるため、容易に変形させることができる。これにより、後述するように、背面幅木１７を床枠５と背面側板３Ａとの間に取り付ける際の作業効率が向上する。また、切欠部９が形成されていない部分は、主直線部１７ａの断面剛性の強度が維持されている。また、従直線部１７ｃには切欠部９は形成されていないため、背面幅木１７全体としての強度は維持されている。
【００２４】
このように本実施形態では、背面幅木１７の主直線部１７ａの下部水平線７３に切欠部９を設け、主直線部１７ａの断面剛性を異ならせている。これにより、断面剛性が弱い部分では主直線部１７ａを変形しやすくさせるとともに、断面剛性の強い部分では背面幅木１７の強度を維持することができる。
【００２５】
背面幅木１７には、背面幅木１７を床枠５に固定するためのマグネット８が複数設けられている。マグネット８は、ボルト６とナット６’で、主直線部１７ａの切欠部９が形成されていない断面剛性の強度が強い部分及び従直線部１７ｃの端部に固定されている。
【００２６】
なお、切欠部９の形状としては、製造の容易性の観点から断面形状が矩形のものが望ましいが、例えば、断面形状が楕円等であってもよい。
【００２７】
〈幅木の取り付け方法〉
次に、本実施形態における幅木７の取り付け方法について図４及び図５を用いて説明する。
図４は、本発明の実施形態に係る背面幅木１７を床枠５に取り付ける際の説明図である。まず、背面幅木１７を乗りかごの扉部１０からかご室内に搬入する。このとき、背面幅木１７の従直線部１７ｃの端部が扉部１０側を向いた状態で搬入する。搬入した背面幅木１７の主直線部１７ａが、背面側板３Ａに対して斜めになる状態で、従直線部１７ｃの一端部を側面側板３Ｂに近づける（Ｓ１）。
【００２８】
本実施形態で使用する背面幅木１７は、上述したようにＵ字状に形成されているため、一端の曲線部１７ｂから他端の従直線部１７ｃの先端部までの長さＷが、背面側板３Ａの長さＹよりも長くなる。このため、背面幅木１７を背面側板３Ａに対応する床枠５に取り付ける際には、直線部１７ａを撓ませて変形させる必要がある。このため、主直線部１７ａが背面側板３Ａに対して平行になるようにして、主直線部１７ａを撓ませる（Ｓ２）。このとき、上述したように主直線部１７ａには複数の切欠部９が設けられているので、主直線部１７ａを容易に変形させることができる。
【００２９】
さらに、主直線部１７ａを背面側板３Ａに向かって押圧し、主直線部１７ａに設けられている全てのマグネット８を背面側板３Ａを支持する床枠５に固定する（Ｓ３）。同時に、従直線部１７ｃに設けられているマグネット８を側面側板３Ｂを支持する床枠５に固定して、背面幅木１７を乗りかごに取り付ける。このとき、背面側板３Ａと側面側板３Ｂとの境界に生じる角部は、曲線部１７ｂのＲ形状の部分によって曲線状に覆われる。
【００３０】
このように、本実施形態では、背面幅木１７を枠体５に取り付ける際に、主直線部１７ａを容易に変形させることができるため、背面側板３Ａの長さよりも長い背面幅木１７を使用する場合であっても、乗りかごに簡単に取り付けることができ、取り付け作業の効率を向上させることができる。
【００３１】
次に、側面幅木２７の取り付け方法について説明する。
図５は、本発明の実施形態に係る側面幅木２７を床枠５に取り付ける際の説明図である。
図５に示すように、２本の側面幅木２７は、側面側板３Ｂとかご床２との間を覆うための直線状に形成された主直線部２７ａと、側面側板３Ｂと隣接する正面側板３Ｃとの境界にできる角部を覆うためのＲ形状を有する曲線部２７ｂと、正面側板３Ｃとかご床２との間を覆うための直線状に形成された従直線部２７ｃと、で構成されている。２本の側面幅木２７は、左右対称の形状となるように形成されており、製造方法等は側面幅木１７の場合と同様である。また、主直線部２７ａには、側面側板３Ｂを支持する枠体５に固定するための複数のマグネット８が等間隔に設けられている。また、従直線部２７ｃの端部には、正面側板３Ｃを支持する枠体５に固定するためのマグネット８が設けられている。
【００３２】
まず、側面幅木２７を乗りかごの扉部１０からかご室内に搬入する。このとき、側面幅木２７の主直線部２７ａが側面側板３Ｂに平行となる状態で搬入する。次に、主直線部２７ａの端部の位置と、乗りかごに取り付けられている背面幅木１７の従直線部１７ｃの端部の位置とを一致させて、主直線部２７ａを側面側板３Ｂに向かって押圧し、主直線部２７ａに設けられている全てのマグネット８を側面側板３Ｂを支持する床枠５に固定する。同時に、従直線部２７ｃに取り付けられているマグネット８も正面側板３Ｃを支持する床枠５に固定して、側面幅木２７を乗りかごに取り付ける。このとき、側面側板３Ｂと正面側板３Ｃとの境界に生じる角部は、曲線部２７ｂのＲ形状の部分によって曲線状に覆われる。
【００３３】
以上の作業により、図６に示すように、幅木７（１７，２７）の乗りかごへの取り付け作業が完了する。そして、幅木７が取り付けられることにより、床枠５と側板３とを固定するボルト６等が隠され、側板３とかご床２との間の隙間がかご室側から見えなくなるように隠される。また、乗りかご内の全ての角部が幅木のＲ形状部分で覆われるため、利用者に対して安心感を与えることができる。
【００３４】
また、本実施形態では、角部を隠すためのＲ形状が一体に形成されている幅木１７、２７を用いることにより、Ｒ形状を有する幅木を別部品として用いた場合と比べて、ボルトやナット等の部品を減らすことができる。また、隣接する幅木の境界にできる分割線の数を減らす（本実施形態では２本）ことで、意匠性の向上を図ることができる。特に、本実施の形態では、利用者の目に最も触れやすい背面部分の幅木の分割線をなくすことができる。
【００３５】
以上、本発明について、実施形態に基づいて説明したが、本発明は上述の実施形態に記載した構成に限定されるものではなく、その趣旨を逸脱しない範囲において適宜その構成を変更することができるものである。例えば、上述した実施形態例は、本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成について他の実施形態の構成を加えることも可能である。また、各実施形態の構成の一部について、他の構成の追加・削除・置換をすることが可能である。
【符号の説明】
【００３６】
１…乗りかご、２…かご床、３…側板、４…天井、５…床枠、６…ボルト、７、１７，２７…幅木、８…マグネット、９…切欠部、１０…扉部、２１…床本体、２２…土台部、２３…床板、５１…底部、５２…側壁部、５３…ボルト締結孔、５５…上端部、７１…意匠面部、７１ａ…意匠面、７３…下部水平部
【図１】
2017007833.tif 000003
【図２】
2017007833.tif 000004
【図３】
2017007833.tif 000005
【図４】
2017007833.tif 000006
【図５】
2017007833.tif 000007
【図６】
2017007833.tif 000008